(57)【要約】【課題】地中埋設の排水用桝１０３に対して地盤レベルで蓋１０４を支持するための受枠１０５を地盤から撤去するような場合に、受枠１０５の撤去作業が簡単、迅速に行え、また省力化、静音化、低コスト化等も図れるようにする。【解決手段】地盤に設置された受枠１０５の枠内へ撤去爪２を配置する。撤去爪２の爪先を受枠１０５の下部へ正対させて、この撤去爪２を受枠１０５より高位置に設定する支点４で受枠１０５側へ向けて揺動させる。撤去爪２の爪先が受枠１０５の下部へ食い込んだ後も撤去爪２の揺動を続けさせ、受枠１０５に対して上昇力を与え、受枠１０５を地盤上へ引き上げさせる。【選択図】      図１
2004250968.tif 000002
【特許請求の範囲】
【請求項１】
排水用の桝（１０３）の上にこの桝（１０３）の蓋（１０４）を支持するための受枠（１０５）が設置された現場にて、受枠（１０５）の枠内へ撤去爪（２）を配置し、桝（１０３）と受枠（１０５）との上下間へ撤去爪（２）を食い込ませると共にこの撤去爪（２）を介して受枠（１０５）側に上昇力を与え、この受枠（１０５）を桝（１０３）の上から撤去することを特徴とする受枠撤去工法。
【請求項２】
地盤に設置された受枠（１０５）の枠内へ撤去爪（２）を配置すると共にその爪先を受枠（１０５）の下部へ正対させ、この撤去爪（２）を受枠（１０５）より高位置に設定する支点（４）で受枠（１０５）側へ向けて揺動させ、撤去爪（２）の爪先が受枠（１０５）の下部へ食い込んだ後も撤去爪（２）の揺動を続けさせることで、受枠（１０５）に対して上昇力を与えてこの受枠（１０５）を地盤上へ引き上げさせることを特徴とする受枠撤去工法。
【請求項３】
前記受枠（１０５）は、地下に埋設された排水用の桝（１０３）に対して蓋（１０４）を支持させるためのものであることを特徴とする請求項２記載の受枠撤去工法。
【請求項４】
上部に設けられる支点（４）で揺動自在に保持された揺動リンク（５）と、この揺動リンク（５）の下部で爪先を外方へ向けて設けられた撤去爪（２）と、この撤去爪（２）の爪先を突き出させる方向で上記揺動リンク（５）を駆動させる駆動部（１５）とを有していることを特徴とする受枠撤去装置。
【請求項５】
上記駆動部（１５）は、地盤に設置された受枠（１０５）に対してその枠内側から受枠（１０５）下部へ撤去爪（２）を食い込ませ更に受枠（１０５）に上昇力を付与できるだけの駆動ストロークを有したものであることを特徴とする請求項４記載の受枠撤去装置。
【請求項６】
前記揺動リンク（５）には支点（４）を超えて上方へ延びる入力リンク（６）が設けられていると共にこれら揺動リンク（５）と入力リンク（６）とが支点（４）を境に「く」字状の折曲状態に固定されることでそれら全体としてリフトアーム（３）が形成されており、
このリフトアーム（３）の入力リンク（６）には、その上端部を撤去爪（２）の爪先が向く方向とは逆方向へ移動させる状態で前記駆動部（１５）が連結されていることを特徴とする請求項４又は請求項５記載の受枠撤去装置。
【請求項７】
前記リフトアーム（３）は、揺動リンク（５）と入力リンク（６）とで呈する「く」字形状を互いに背合わせにしてＸ字状とさせる状態で２本一対に組み合わされており、
前記駆動部（１５）は、前記受枠（１０５）まわりの地盤に据え付けられるフレーム（１０）によって保持されており、両リフトアーム（３）の入力リンク（６）に対しそれらの上端部を相互近接させつつ引き上げ可能な状態として連結されていることを特徴とする請求項６記載の受枠撤去装置。
【発明の詳細な説明】
【０００１】
【発明の属する技術分野】
本発明は、地中埋設の排水用桝に対して地盤レベルで蓋を支持するための受枠につき、これを地盤から撤去するような場合に好適に採用できる受枠撤去工法及び受枠撤去装置に関するものである。
【０００２】
【従来の技術】
図７に示すように、道路１００の端に排水用のエプロン１０１（「街渠」とも呼ばれ、側溝とは異なって深さがなく路面と略同一レベルで排水を道路に沿って流す部分）が設けられる場合、このエプロン１０１の地下には排水管１０２が埋設されることになる。そして、この排水管１０２には所定距離をおいて桝１０３が介設され、この桝１０３は上方へ延びて、エプロン１０１上に設けられる開口と連通するようになっている。
【０００３】
従って、エプロン１０１を流れる排水がこの開口を介して桝１０３内へ落ち込み、排水管１０２へと流れ込むしくみになっている（例えば、特許文献１等参照）。
このような桝１０３へ至るエプロン１０１上の開口には、人等の落ち込みやゴミ類の流入を防止するために蓋やグレーチングなど（以下「蓋等１０４」と言う）が被せられるが、この蓋等１０４を安定的に支持するため、桝１０３上には受枠１０５が設けられる。
【０００４】
この受枠１０５は、桝１０３に一体的に組み込まれているものもあるが、図８に示すように、現場にて湿式施工的に打設されるコンクリート１０６によって固定されることもある。
ところで、このようにしてコンクリート１０６で固定された受枠１０５は、劣化や破損、或いは蓋等１０４の交換や変更等々、様々な理由によって撤去の必要が生じることがあった。
従来、受枠１０５の撤去作業は、エアドリル等を用いた人手作業によって行っていた。
【０００５】
【特許文献１】
特開２００２−８８７０７号公報
【０００６】
【発明が解決しようとする課題】
上記したように受枠１０５の撤去作業は人手作業であったので、作業効率が低いということがあった。一例を挙げると、５人がかりで１日にせいぜい５箇所の受枠１０５を撤去するという程度であった。このため施工期間が長引き、コスト的な問題も付随するものとなっていた。
また、エアドリル等を用いることにより粉塵が多く発生し、作業環境が悪いということや、騒音や振動が激しくなるから夜間の作業では近隣に迷惑がかかるということ等もあった。
【０００７】
本発明は、上記事情に鑑みてなされたものであって、受枠の撤去作業が簡単、迅速に行え、また省力化、静音化、低コスト化等も図れるようにした受枠撤去工法及び受枠撤去装置を提供することを目的とする。
【０００８】
【課題を解決するための手段】
本発明は、上記目的を達成するために以下の技術的手段を講じた。
すなわち、本発明に係る受枠撤去工法では、排水用の桝１０３の上にこの桝１０３の蓋１０４を支持するための受枠１０５が設置された現場にて、まず、受枠１０５の枠内へ撤去爪２を配置する。
そして、桝１０３と受枠１０５との上下間へ撤去爪２を食い込ませる。また、この撤去爪２を介して受枠１０５側に上昇力を与え、この受枠１０５を桝１０３の上から撤去する、というものである。
【０００９】
このような工法を採ることで、エアドリル等を用いた従来の撤去作業とは比較にならないほど作業が簡単且つ迅速となり、また省力化、静音化、低コスト化等も図られることになる。
ここにおいて、地盤に設置された受枠１０５の枠内へ撤去爪２を配置し、その爪先を受枠１０５の下部へ正対させた後、この撤去爪２を受枠１０５より高位置に設定する支点４で受枠１０５側へ向けて揺動させる。
すると、撤去爪２の爪先は受枠１０５の下部へ食い込むようになる。
【００１０】
そこで、その後も引き続き撤去爪２の揺動を続けさせると、この撤去爪２は受枠１０５に対して上昇力を与えるようになり、もってこの受枠１０５を地盤上へ引き上げさせることができるようになる。
このような工法を採用することで、作業の簡単且つ迅速化をはじめ、省力化、静音化、低コスト化等を一層高めさせることができる。
なお、受枠１０５は、地下埋設の排水用の桝１０３に対して蓋１０４を支持させるためのものとすればよい。しかし、その他の受枠１０５（例えば消火栓用や側溝用、マンホール用など、種々のもの）を対象とさせることも可能である。
【００１１】
この工法を採用するに際しては、撤去爪２を揺動させる上記の方法の他、撤去爪２を水平移動によって受枠１０５下側へ食い込ませ、この撤去爪２をまっすぐ上昇させることによって受枠１０５に上昇力を加えるような構造のものを使用することもできる。
一方、本発明に係る受枠撤去装置１は、上部に設けられる支点４で揺動自在に保持された揺動リンク５を有したものとすればよい。この揺動リンク５の下部に、爪先を外方へ向けるかたちで撤去爪２を設けておけばよい。
【００１２】
また、この揺動リンク５は、撤去爪２の爪先を突き出させる方向で駆動部１５によって駆動されるものとしておけばよい。
このような構成の受枠撤去装置１であれば、駆動部１５によって揺動リンク５を揺動させることで、上記した本発明に係る撤去工法を実施できることになる。なお、駆動部１５は、地盤に設置された受枠１０５に対してその枠内側から受枠１０５下部へ撤去爪２を食い込ませ、更に受枠１０５に上昇力を付与できるだけの駆動ストロークを有したものとしておけばよい。
【００１３】
揺動リンク５には、支点４を超えて上方へ延びる入力リンク６が設けられたものとする。そして、これら揺動リンク５と入力リンク６とは、支点４を境に「く」字状に折曲した状態で固定されたものとする。ここにおいて、これら揺動リンク５と入力リンク６とによって形成される全体を、リフトアーム３とする。
このような構造のリフトアーム３では、入力リンク６の上端部を、撤去爪２の爪先が向く方向とは逆方向へ移動させるようにすればよいので、このような状態で駆動部１５を連結させるものとする。
【００１４】
これであると、駆動部１５の収まりを省スペースにでき、装置全体をコンパクトに収めることができる。
このリフトアーム３は、２本一対で組み合わせればよい。
すなわち、これら２本のリフトアーム３は、揺動リンク５と入力リンク６とで呈する「く」字形状が互いに背合わせとなってその全体でＸ字状を呈する状態とさせる。
この場合、駆動部１５は、受枠１０５まわりの地盤に据え付けられるフレームによって保持されたものとし、そのうえで、両リフトアーム３の入力リンク６に対し、それらの上端部を相互近接させつつ引き上げ可能とする状態で連結しておけばよい。
【００１５】
これにより、駆動部１５による両リフトアーム３の駆動で受枠１０５に対して上昇力を与えるときに、その反力（下向きの力）を、フレーム１０を通じて受枠１０５まわりの地盤に伝えることができるようになる。
従って、力に無駄がなく、また受枠１０５を上昇させる過程でフレーム１０を介して受枠撤去装置１が安定することになる。
【００１６】
【発明の実施の形態】
以下、本発明の実施の形態を図面を参照して説明する。
図１乃至図３は、本発明に係る受枠撤去装置１の第１実施形態を示している。
この受枠撤去装置１は撤去爪２を有している。
この撤去爪２は、地盤に設置された受枠１０５に対してその下側へ食い込ませるようにするものである。そして、このような食い込み状態とされた後、図３から明らかなように受枠１０５に対して上昇力を加え、引き上げるようにするものである。
【００１７】
この撤去爪２は、リフトアーム３に対して設けられている。
このリフトアーム３は、支点４を中間においてその下側に揺動リンク５が設けられ、支点４を超えた上側に入力リンク６が設けられたものとなっている。これら揺動リンク５と入力リンク６とは、支点４を境として「く」字状に折曲する形状に固定された状態としてある。そしてこのうち揺動リンク５の下端側に、撤去爪２が位置付けられている。
本第１実施形態において、このようなリフトアーム３は、全部で４本ある。そして、そのうち２本ずつのリフトアーム３が組み合わされ、対を成すようにしてある。即ち、リフトアーム３は２本一対とされ、これが２組あることになる。
【００１８】
個々の組合せにおいて、リフトアーム３同士は、それらが呈する「く」字形状（揺動リンク５と入力リンク６との折曲状態）が互いに背合わせとなる向きで組み合わされている。従って、これら２本一対で組み合わされるリフトアーム３の全体で、Ｘ字状を呈するようになる。
なお、本第１実施形態では、各組合せ中のリフトアーム３がそれぞれ別個の支点４によって保持されるものとし、そのうえでこれら各支点４が互いに所定間隔をおいて設けられたものとした。
【００１９】
そのため、各組合せ中のリフトアーム３同士がその全体としてＸ字状を呈するといっても、その交差部分は横方向に広がったものとなっている（図２参照）。本明細書ではこのようなものも「Ｘ字状」に含めている。
上記した支点４は、受枠１０５を撤去する作業に際してこの受枠撤去装置１の近傍へ据え付けるフレーム１０により支持される。このフレーム１０に対する支持状態は固定的な構造としてもよいし、必要に応じて着脱できる構造としてもよい。
【００２０】
このフレーム１０は、受枠撤去装置１を全体として取り囲むようなヤグラ構造を有したものとし、受枠１０５の周囲の地盤に設置させるものとすればよい。接地面積を拡大させるために、図示したように受枠１０５の周囲を取り囲むようなベースフレーム１１を設けておくのが好適である。
なお、受枠１０５の設置状況において、道路側より見て反対側は一般的に歩道である場合が多い。従って、ベースフレーム１１には、歩道側へ向けられる部分に段差を付けたり、高さ調節機能を持たせたり、或いはこれらを有する別のベースフレームとの交換を可能にしたりするのが好適である。
【００２１】
これらの説明から、このフレーム１０に支持される支点４に対し、上記したリフトアーム３が揺動自在となっていることが明らかである。そしてこのときの揺動は、各組合せ中のリフトアーム３同士において互いの撤去爪２を相互近接・離反方向へ移動させることのできる向きとなっている。
図２から明らかなように、フレーム１０には駆動部１５が設けられている。
本第１実施形態において駆動部１５には油圧シリンダを用いてあり、そのシリンダロッドを動作部１６とさせている。この場合に採用する油圧シリンダとしては復動型（シリンダロッドの伸出も縮退も油圧で動作させるタイプ）とするのが好適である。
【００２２】
この駆動部１５は、動作部１６（油圧シリンダのシリンダロッド）を下向きにさせた状態としてある。
この駆動部１５の動作部１６にはヘッダー１７が設けられている。そして、このヘッダー１７には連結リンク１８が揺動自在に設けられている。
この連結リンク１８は、リフトアーム３と同数（図例では４本）だけあって、個々のリフトアーム３における各入力リンク６の上端部と折曲自在な状態で連結されている。この連結位置は、支点４よりも外側（撤去爪２が向いている方）とされている。
【００２３】
このようなことから、駆動部１５が動作部１６を上向きに縮退させればこのヘッダー１７も上昇することになり、このとき連結リンク１８を介して各リフトアーム３の入力リンク６にも、その上端部が上方へ引き上げられるように力が伝えられる。
リフトアーム３は、上記したように支点４を介して揺動自在ではあるが、この支点４はフレーム１０に対しては上下動も左右動もしないため、結果、入力リンク６の上端部へ伝えられた引上げ力により、このリフトアーム３は全体として揺動することになる。
【００２４】
このときのリフトアーム３の揺動の方向は、連結リンク１８と入力リンク６との連結位置が支点４よりも外側（撤去爪２が向いている方）へ位置ズレしていることに伴い、入力リンク６の上端部が、撤去爪２の爪先の向く方とは逆方向（即ち、内方）へ向かう方向となる。
これにより、揺動リンク５側では撤去爪２の爪先が外方へ突き出すようになるのである。
また勿論、駆動部１５が動作部１６を下向きに伸出させれば上記と逆の動きとなり、結果、揺動リンク５は、撤去爪２がその爪先を内方へ戻すようにして駆動されることになる。
【００２５】
駆動部１５における動作部１６の縮退時又は伸出時に、全ての撤去爪２（本第１実施形態では４つ）が、同時に同じ動きをすることは言うまでもない。
すなわち、２本一対で組み合わされるリフトアーム３の入力リンク６に対し、それらの上端部同士を相互近接させることで両側の撤去爪２を両外方へ突き出させ、反対に入力リンク６の上端部同士を相互離反させることで両側の撤去爪２をそれらの中心（内方）へ引き戻させるものである。
駆動部１５は、両側の撤去爪２を両外方へ突き出させる動きとして、地盤に設置された受枠１０５に対し、その枠内側から受枠１０５の下部へ撤去爪２を食い込ませる。
【００２６】
また駆動部１５は、更に、受枠１０５の下部へ食い込んだ撤去爪２が揺動を続けて受枠１０５に上昇力を付与できるようにする。
そのため、これらに必要とされるだけの駆動ストロークを有したものとされている。
次に、この受枠撤去装置１により受枠１０５を撤去する作業に基づいて、本発明に係る受枠撤去工法を説明する。
まず、撤去しようとする受枠１０５に対しその周囲を取り囲むようにベースフレーム１１及びフレーム１０を設置し、その内側に受枠撤去装置１をセットする。勿論、はじめからベースフレーム１１、フレーム１０及び受枠撤去装置１が一体的に組み立てられたものであってもよく、この場合であれば、ベースフレーム１１の設置と同時に受枠撤去装置１の設置も完了することになる。
【００２７】
このようにして受枠１０５の枠内へ撤去爪２を差し入れる。
次に、この撤去爪２の爪先が、排水用の桝１０３と、その上で受枠１０５を固定しているコンクリート１０６との境界あたりへ正対するように配置する。
そして駆動部１５を駆動させ、その動作部１６を上向きに縮退させる。
これにより、上記したようにリフトアーム３が揺動し、撤去爪２はその爪先を外方へ突き出させるようになって受枠１０５の下部（桝１０３と受枠１０５との上下間）へ食い込むようになる。
【００２８】
また、この後も引き続き駆動部１５を駆動させ続け、撤去爪２を揺動させ続ける。
これにより、この撤去爪２を介して受枠１０５側に上昇力が与えられることになる。
従って、この受枠１０５は桝１０３の上から撤去されるものである。
なお、このとき受枠１０５に与えられた上昇力は、その反力（下向きの力）となってフレーム１０及びベースフレーム１１を通じて受枠１０５まわりの地盤に伝わる。
【００２９】
そのため、受枠１０５を上昇させる過程で受枠撤去装置１が安定することになる。
このような工法を採ることで、エアドリル等を用いた従来の撤去作業とは比較にならないほど作業が簡単且つ迅速となり、また省力化、静音化、低コスト化等も図られることになる。
図４は、本発明に係る受枠撤去装置１の第２実施形態を示している。
この第２実施形態の受枠撤去装置１が、上記第１実施形態と最も異なるところは、駆動部１５を２台有している点にある。
【００３０】
これら駆動部１５は、２本一対で組み合わされるリフトアーム３の、それぞれの組に対応した振り分け配置となっている。そのため、ヘッダー１７の上下動が安定することになり、各駆動部１５による駆動力の伝達が、それぞれの組のリフトアーム３に対して均等に作用することになる
また勿論、駆動部１５が２台あるので、それだけリフトアーム３の駆動力が強力になっており、受枠１０５の撤去も楽に行える。
なお、本第２実施形態では、２本一対で組み合わされるリフトアーム３の、それぞれの組間を渡らせるようにして両側の支点４を連結シャフト２０により連結してあり、その剛性を高めてある。
【００３１】
これにより、各リフトアーム３の全体的な配置のねじれが起こらないようにしてある。
図５は、本発明に係る受枠撤去装置１の第３実施形態を示している。
この第３実施形態の受枠撤去装置１は上記第２実施形態を更に改良したものであって、駆動部１５を２台有していると共に、それらの動作部１６を各別に分離させたヘッダー１７に連結してある。
これにより、各駆動部１５の駆動力は、２本一対で組み合わされるリフトアーム３の、それぞれの組に対して各別に伝えられるようになる。
【００３２】
なお、本第３実施形態では、２本一対で組み合わされるリフトアーム３の、それぞれの組間を渡らせるようにして、各支点４の支持枠２１相互を連結ステー２２により連結してあり、その剛性を高めてある。
図６は、本発明に係る受枠撤去装置１の第４実施形態を示している。
この第４実施形態の受枠撤去装置１では、２本一対で組み合わされるリフトアーム３の、それぞれの組において支点４を共通化してあり、この点で上記第１乃至第３実施形態と異なっている。
【００３３】
そのため、各組合せ中のリフトアーム３同士がその全体としてＸ字状を呈する状態が、第１乃至第３実施形態に比べてより明確なＸ字状となっている。
このような第４実施形態の受枠撤去装置１は、比較的に枠内開口の小さい受枠１０５に対しても好適に使用できるものである。
その他の構成及び作用効果、並びに一部改良点などについては上記第１乃至第３実施形態の場合と同様である。
ところで、本発明は、上記各実施形態に限定されるものではなく、更にその他の適宜設計変更が可能である。
【００３４】
例えば、撤去爪２の数や配置、形状等は適宜変更可能である。
また、リフトアーム３の本数や配置も適宜変更可能であり、３本又は５本以上とさせることが可能である。
更に、駆動部１５は油圧式に限定されず、空圧式、水圧式、機械式等に置換可能である。
受枠１０５は、地下埋設の排水用の桝１０３に対して蓋１０４を支持させるためのものとする以外に、例えば消火栓用や側溝用、マンホール用など、種々のものとしてもよい。
【００３５】
【発明の効果】
以上詳述したように、本発明に係る受枠撤去工法及び受枠撤去装置では、受枠の撤去作業が簡単、迅速に行え、また省力化、静音化、低コスト化等も図れるようになる。
【図面の簡単な説明】
【図１】本発明に係る受枠撤去装置の第１実施形態を示した斜視図である。
【図２】図１に対応する正面図である。
【図３】撤去爪により受枠に上昇力を加えた状態を示した拡大説明図である。
【図４】本発明に係る受枠撤去装置の第２実施形態を示した斜視図である。
【図５】本発明に係る受枠撤去装置の第３実施形態を示した斜視図である。
【図６】本発明に係る受枠撤去装置の第４実施形態を示した正面図である。
【図７】受枠の設置例を示した斜視図である。
【図８】図７に対応する正面断面図である。
【符号の説明】
２    撤去爪
３    リフトアーム
４    支点
５    揺動リンク
６    入力リンク
１０    フレーム
１５    駆動部
１０３    桝
１０４    蓋
１０５    受枠
【図１】
2004250968.tif 000003
【図２】
2004250968.tif 000004
【図３】
2004250968.tif 000005
【図４】
2004250968.tif 000006
【図５】
2004250968.tif 000007
【図６】
2004250968.tif 000008
【図７】
2004250968.tif 000009
【図８】
2004250968.tif 000010